(57)【要約】【目的】施工が容易で確実に固定でき、集水効率の良好な雨水集水装置を提供する。【解決手段】円筒の内径より小さな幅の開口部（２）を有する概円筒状でＵ字形状の雨樋（１）と、前記雨樋（１）の内径と同等か若干小さめの外径を有し、概円筒状のＵ字形状で、前記Ｕ字形状の上部に一対のつまみ（６）を有するばねホルダー（５）からなることを特徴とする。また前記雨樋（１）の前記開口部（２）に近い側部（３）には、複数の固定孔（４）を有することを特徴とする。さらには前記ばねホルダー（５）の一対のつまみ（６）は、つまみ（６）を内側につまむことにより内側に変形し、つまみ（６）を離すと元の形状に復帰するばね性を有していることを特徴とする。【選択図】図１
0003103283.tif 000002
【実用新案登録請求の範囲】
【請求項１】
円筒の内径より小さな幅の開口部（２）を有する概円筒状でＵ字形状の雨樋（１）と、前記雨樋（１）の内径と同等か若干小さめの外径を有し、概円筒状のＵ字形状で、前記Ｕ字形状の上部に一対のつまみ（６）を有するばねホルダー（５）からなることを特徴とする雨水集水装置。
【請求項２】
前記雨樋（１）の前記開口部（２）に近い側部（３）には、複数の固定孔（４）を有することを特徴とする請求項１記載の雨水集水装置。
【請求項３】
前記ばねホルダー（５）の一対のつまみ（６）は、つまみ（６）を内側につまむことにより内側に変形し、つまみ（６）を離すと元の形状に復帰するばね性を有していることを特徴とする請求項１記載の雨水集水装置。
【考案の詳細な説明】
【技術分野】
【０００１】  本考案は、主としてビニールハウス等で使用され、ビニールハウス等の屋根に降った雨水を有効に集水して、降雨の有効利用や排水を行う雨水集水装置に関する。
【背景技術】
【０００２】  従来、降雨を導水路に導き暗渠を経て給水させる方法や装置（特許文献１）や、ビニールハウスの天井に取入口を設けて集水する取入具（特許文献２）が知られていた。
【特許文献１】特許公開      平５−３０４８４０
【特許文献１】実用新案公開  平５−３０４８４０
【考案の開示】
【考案が解決しようとする課題】
【０００３】  従来の降雨を導水路に導き暗渠を経て給水させる方法や装置（特許文献１）では、地面に溝を掘って導水路や暗渠を設置するといった大がかりな土木工事が必要であり、設置に多額の費用が必要といった課題を有する。また、大がかりな土木工事であるため、ハウス内での栽培品種の変更等で導水路や暗渠の配置の変更が必要な場合でも簡単に変更できないといった課題を有する。【０００４】  ビニールハウスの天井に取入口を設けて集水する取入具（特許文献２）では、ビニールハウスの天井に穴を開けて必要な数だけ取入具を設置する必要がある。ビニールといった強度の弱い材料に穴を開けて加工し、取入具を固定するという作業は、作業場所が天井であることを考えると作業性が悪いといった課題を有し、作業後の強度の面でも弱くなるといった課題を有する。さらには、集水する面積が取入具の周囲のみで集水の効率も悪いといった課題を有する。【０００５】  そこで本考案の目的は、施工が容易で確実に固定でき、集水効率の良好な雨水集水装置を提供することにある。
【考案の効果】
【０００６】  本考案の雨水集水装置は、ビニールハウスの支柱下部に雨樋の固定穴を利用して雨樋を固定し、ばねホルダーにてビニールを挟み込んで固定する方法で施工できるので、施工が容易で強度も強く、誰でも安全に施工できるといった効果を有する。【０００７】  また、ビニールハウスの屋根に降った雨のほとんど全てを取水することができるので、集水効率が良好であるとともに、雨樋の本数を増減することにより容易に必要な取水量を得ることができるといった効果を有する。
【考案を実施するための最良の形態】
【０００８】  図１は雨水集水装置の斜視図、図２は雨水集水装置の使用断面図、図３はビニールハウスに固定した例を示す正面図、図４はビニールハウスに固定した例を示す部分拡大図、図５はビニールハウスに固定した例の側面図である。【０００９】  本考案の雨水集水装置の構造を、図１を参照して説明する。【００１０】  本考案の雨水集水装置は円筒の内径より小さな幅の開口部（２）を有する概円筒状でＵ字形状の雨樋（１）と、前記雨樋（１）の内径と同等か若干小さめの外径を有し、概円筒状のＵ字形状で、前記Ｕ字形状の上部に一対のつまみ（６）を有するばねホルダー（５）からなる。【００１１】  前記雨樋（１）の前記開口部（２）に近い側部（３）には、複数の固定孔（４）を有する。【００１２】  前記ばねホルダー（５）の前記一対のつまみ（６）は、前記つまみ（６）を内側につまむことにより内側に変形し、前記つまみ（６）を離すと元の形状に復帰するばね性を有している。【００１３】  本考案の雨水集水装置の使用方法を、図１から図５を参照して説明する。【００１４】  固定穴（４）を利用してビニールハウス（８）に固定された雨樋（１）の内側にビニールシート（７）を挿入し、雨樋（１）の開口部（２）よりばねホルダー（５）を挿入することによりビニールシート（７）は雨樋（１）とばねホルダー（５）に挟まれて、ばねホルダーのばね作用により固定されるのである。ビニールシート（７）をはずすには、ばねホルダー（５）上部の一対のつまみ（６）を内側につまめば、ばねホルダー（５）は内側に変形して雨樋（１）の開口部（２）より容易に取り出すことができる。【００１５】  以上のように本考案の雨水集水装置をビニールハウス（８）に固定すれば、ビニールハウス（８）の屋根に降った雨水はビニールシート（７）を伝って雨水集水装置に集められて、ビニールハウス（８）の一端に設置された貯水タンク（１１）に集められたり、雨水集水装置の途中に設置された水道の蛇口と同様の構造をした雨水取り出しコック（１２）からホース等を利用して排水等ができるのである。
【実施例】
【００１６】  本考案の実施例を、図１から図５を参照して説明する。【００１７】  ビニールハウス（８）は金属製のパイプ等による縦支持棒（９）と横支持棒（１０）を縦横に組み合わせて骨組みを形成し、骨組みの上にビニールシート（７）を被せて骨組みに固定して構成される。【００１８】  通常、ビニールハウス（８）に被せるビニールシート（７）は３枚で構成され、ビニールハウス（８）上部で屋根の部分を覆う屋根部ビニールシート（７Ａ）と、ビニールハウス（８）両側面の裾部分を覆う２枚の裾部ビニールシート（７Ｂ）で構成されている。裾部分を覆う２枚の裾部ビニールシート（７Ｂ）は、天候、気温、湿度等の気象条件によりビニールハウス（８）内に空気を取り入れたり遮断するために、開けたり閉めたりできる構造となっている。【００１９】  本考案の雨水集水装置はビニールハウス（８）側面の横支持棒（１０）に、複数の雨樋（１）の端部を重ねながら雨樋（１）の開口部（２）を利用してボルト止めや鋼線等により固定し、ビニールハウス（８）上部で屋根の部分を覆う屋根部ビニールシート（７Ａ）の端部を雨樋（１）の開口部（２）に挿入し、雨樋（１）の開口部（２）よりばねホルダー（５）を挿入することにより、ビニールシート（７Ａ）の端部は雨水集水装置に固定される。【００２０】  屋根部ビニールシート（７Λ）に降った雨水は屋根部ビニールシート（７Λ）を流れ落ちて本考案の雨水集水装置に集められ、ビニールハウス（８）の一端に設置された貯水タンク（１１）に集めたり、雨水集水装置の途中に設置された雨水取り出しコック（１２）からホース等により排水されたりするのである。
【産業上の利用可能性】
【００２１】  本考案の雨水集水装置は、ビニール等の柔らかい材質のシートの端部に固定して、雨水等の集水や排水をする用途に利用できる。
【図面の簡単な説明】
【図１】雨水集水装置の斜視図
【図２】雨水集水装置の使用断面図
【図３】ビニールハウスに固定した例を示す正面図
【図４】ビニールハウスに固定した例を示す部分拡大図
【図５】ビニールハウスに固定した例の側面図である。
【符号の説明】
１：雨樋
２：開口部
３：側部
４：固定孔
５：ばねホルダー
６：つまみ
７：ビニールシート
７Ａ：屋根部ビニールシート
７Ｂ：裾部ビニールシート
８：ビニールハウス
９：横支持棒
１０：縦支持棒
１１：貯水タンク
１２：雨水取り出しコック
【図１】
0003103283.tif 000003
【図２】
0003103283.tif 000004
【図５】
0003103283.tif 000005
【図３】
0003103283.tif 000006
【図４】
0003103283.tif 000007